【手続補正書】
【提出日】平成19年4月19日(2007.4.19)
【手続補正１】
【補正対象書類名】明細書
【補正対象項目名】特許請求の範囲
【補正方法】変更
【補正の内容】
【特許請求の範囲】
【請求項１】  電気コネクタであって、
前記コネクタの一部分に形成された少なくとも１つの湾曲可能なコンタクトと、
少なくとも１つの導電回路と前記コンタクトとを整列させるため前記コネクタに形成された手段と、
前記少なくとも１つのコンタクトを起動させて少なくとも１つの導電回路のコンダクタを係合させ、前記少なくとも１つの導電回路の個々のコンダクタと前記少なくとも１つの湾曲可能なコンタクトの個々のコンタクトとの間で確実な電気接続を形成する、前記コネクタに設けられた少なくとも１つの起動手段と、
を備え、
前記少なくとも１つのコンタクトは、先の尖った絶縁面に向かってテーパになっており、該先の尖った絶縁面は、前記少なくとも１つの導電回路の上部層の誘電体絶縁部分及び接着部分を突き刺すと共にはぎ取って、前記少なくとも１つの導電回路から導電材の薄層を削り取り、それにより、前記少なくとも１つの湾曲可能なコンタクトの導電部分が接続して、前記少なくとも１つの導電回路の露出したコンダクタに気密性のある部分シールを形成する、電気コネクタ。
【請求項２】  前記少なくとも１つの湾曲可能なコンタクトは、相互に積層された少なくとも２つの回路コンタクトを備えた複合スプリングコンタクトである、請求項１に記載の電気コネクタ。
【請求項３】  前記少なくとも１つの複合スプリングコンタクトは、選択される用途に応じて、コンタクトの湾曲、適用される圧力条件を調整するため、上下方向或いは左右方向に積み重ね可能な多数層のコンタクトを備えた、請求項２に記載の電気コネクタ。
【請求項４】  前記誘電体をリフローさせて導電回路の接合部に該コンタクトをシールさせる温度まで前記少なくとも１つの湾曲可能なコンタクトを熱した際に、前記誘電体は再使用可能になって永久シールを形成する、請求項１に記載の電気コネクタ。
【請求項５】  前記少なくとも１つのコンタクトは、さらに、前記少なくとも１つのコンタクトと前記少なくとも１つの導電回路との接合部の圧力を接続中に強めるための複数のフォースコンセントレータを備えた、請求項１に記載の電気コネクタ。
【請求項６】  前記少なくとも１つのコンタクトは、該コンタクト上に形成された複数の圧縮ノッチを備え、前記少なくとも１つのコンタクトの柔軟性について少なくとも２つの湾曲域を形成しており、第１の湾曲域は、前記少なくとも１つのコンタクトの最小の厚さにより決定され、第２の湾曲域は、前記複数の圧縮ノッチが閉じられることによって規定される、請求項１に記載の電気コネクタ。
【請求項７】  前記コネクタは、さらに、前記少なくとも１つのコンタクトが形成された成形カバーを備えた、請求項１に記載の電気コネクタ。
【請求項８】  前記少なくとも１つのコンタクトは、前記少なくとも１つのコンタクトと前記少なくとも１つの導電回路との間で電気接続を形成するのを促進するために前記少なくとも１つのコンタクトに力を加える少なくとも１つのコンタクト圧縮エクステンダを備えた、請求項１に記載の電気コネクタ。
【請求項９】  前記起動手段は、
前記カバーに収納され、前記カバー内で回転可能に配置された少なくとも１つの起動カムと、
前記カムを取り囲むよう前記カバーに取り付けられたベースと
を備えた、請求項７に記載の電気コネクタ。
【請求項１０】  ２つのコンタクトを備え、これらが前記起動カムの側面に１８０°の間隔をあけて配置された、請求項９に記載の電気コネクタ。
【請求項１１】  前記ベースは、前記少なくとも１つの起動カムを取り囲むよう前記カバーに前記ベースを取り付けるための手段を備えた、請求項９に記載の電気コネクタ。
【請求項１２】  前記少なくとも１つの起動カムは、前記少なくとも１つの起動カムと前記少なくとも１つの湾曲可能なコンタクトとを整列させるための複数の整列リブを備え、夫々の前記整列リブ間の間隔が夫々の前記少なくとも１つの湾曲可能なコンタクトの厚さに対応している、請求項９に記載の電気コネクタ。
【請求項１３】  電気コネクタであって、
前記コネクタの一部分に形成された少なくとも１つの湾曲可能なコンタクトと、
少なくとも１つの導電回路と前記コンタクトとを整列させるため前記コネクタに形成された手段と、
前記少なくとも１つのコンタクトを起動させて少なくとも１つの導電回路のコンダクタを係合させ、前記少なくとも１つの導電回路の個々のコンダクタと前記少なくとも１つの湾曲可能なコンタクトの個々のコンタクトとの間で確実な電気接続を形成する、前記コネクタに設けられた少なくとも１つの起動手段と、
前記少なくとも１つのコンタクトが形成された成形カバーと、
を備え、
前記起動手段は、
前記カバーに収納され、前記カバー内で回転可能に配置された少なくとも１つの起動カムと、
前記カムを取り囲むよう前記カバーに取り付け可能なベースと
を備え、前記ベースは、少なくとも１つのカムオリエンテーションインジケータを備えて前記少なくとも１つの起動カムを回転可能及び回転不可能の位置にロックする、電気コネクタ。
【請求項１４】  電気コネクタであって、
前記コネクタの一部分に形成された少なくとも１つの湾曲可能なコンタクトと、
少なくとも１つの導電回路と前記コンタクトとを整列させるため前記コネクタに形成された手段と、
前記少なくとも１つのコンタクトを起動させて少なくとも１つの導電回路のコンダクタを係合させ、前記少なくとも１つの導電回路の個々のコンダクタと前記少なくとも１つの湾曲可能なコンタクトの個々のコンタクトとの間で確実な電気接続を形成する、前記コネクタに設けられた少なくとも１つの起動手段と、
前記少なくとも１つのコンタクトが形成された成形カバーと、
を備え、
前記起動手段は、前記カバーに収納され、前記カバー内で回転可能に配置された少なくとも１つの起動カムと、前記カムを取り囲むよう前記カバーに取り付けられたベースとを備え、
前記ベースは、前記ベースの壁に配置された回路整列ウインドウを備え、前記回路整列ウインドウは、前記少なくとも１つの導電回路と、前記少なくとも１つの起動カム上に配置された複数のテーパレジストレーションピンとを整列させ、前記レジストレーションピンは、前記少なくとも１つの起動カムの回転と協働して前記少なくとも１つの導電回路をとらえ、前記少なくとも１つの導電回路のコンダクタと、前記少なくとも１つの湾曲可能なコンタクトとを正確に整列させる、電気コネクタ。
【請求項１５】  前記少なくとも１つの起動カムの前記テーパレジストレーションピンは、前記少なくとも１つの起動カム内に形成された複数のコンダクタ整列溝と協働して、前記少なくとも１つの起動カム上の前記少なくとも１つの導電回路を整列させ、振動下における回路の断絶を防止する、請求項１４に記載の電気コネクタ。
【請求項１６】  前記少なくとも１つの起動カムは、回路レセプタクルスロットを備え、該スロットには、前記少なくとも１つの導電回路を前記コネクタに入れた後に、前記導電回路を入れる、請求項１５に記載の電気コネクタ。
【請求項１７】  前記複数のコンダクタ整列溝は、前記回路レセプタクルスロットの略０．０５０インチ（０．１２７ｃｍ）内部で始まり、前記少なくとも１つのカムの表面から略０．０１０インチ（０．０２５４ｃｍ）の深さまではテーパになっており、その深さは前記少なくとも１つのカムの外表面と融合するまで減少し、前記複数の整列溝は、前記少なくとも１つのカムの外周の略８分の１の長さだけ延び、前記深さは、前記回路が前記カムから出る箇所から前記カムの外表面と融合するまで減少する、請求項１５に記載の電気コネクタ。
【請求項１８】  前記少なくとも１つの起動カムの前記形は、前記少なくとも１つの導電回路の様々なサイズ及び厚さに適応できるよう可変であるにもかかわらず、１つのサイズのカバー及びベースに適合する、請求項９に記載の電気コネクタ。
【請求項１９】  前記カムは、前記カムを回転させるために使用されるツールが挿入されるカム起動ソケットを備えた、請求項９に記載の電気コネクタ。
【請求項２０】  前記カム起動ソケットは、安全対策のためにカスタム形成のツールに合うようカスタム形成されており、前記カスタム形成のツールだけが前記カスタム形成された起動ソケットに合うようにされた、請求項１９に記載の電気コネクタ。
【請求項２１】  電気コネクタであって、
前記コネクタの一部分に形成された少なくとも１つの湾曲可能なコンタクトと、
少なくとも１つの導電回路と前記コンタクトとを整列させるため前記コネクタに形成された手段と、
前記少なくとも１つのコンタクトが形成された成形カバーと、
前記少なくとも１つのコンタクトに前記少なくとも１つの導電回路を回転可能に係合させて、前記少なくとも１つの導電回路の個々のコンダクタと前記少なくとも１つの湾曲可能なコンタクトの個々のコンタクトとの間で確実な電気接続を形成する、前記コネクタに設けられた少なくとも１つの起動手段と、を備え、前記起動手段は、前記カバーに収納され、前記カバー内で回転可能に配置された少なくとも１つの起動カムを備え、
前記少なくとも１つのコンタクトは、先の尖った絶縁面に向かってテーパになっており、該先の尖った絶縁面は、前記少なくとも１つの導電回路の上部層の誘電体絶縁部分及び接着部分を突き刺すと共にはぎ取って、前記少なくとも１つの導電回路から導電材の薄層を削り取り、それにより、前記少なくとも１つの湾曲可能なコンタクトの導電部分が接続して、前記少なくとも１つの導電回路の露出したコンダクタに気密性のある部分シールを形成する、電気コネクタ。
【請求項２２】  前記コネクタは、起動部を備えた接続モジュールを備え、
該起動部は、
少なくとも１つの導電回路を整列させて入れるための、少なくとも１つの整列ノッチ及び複数のレジストレーションピンと、
少なくとも１つの湾曲可能なコンタクトが前記少なくとも１つの導電回路に当接する前記起動部内の箇所で前記モジュールの起動部内に形成され、前記少なくとも１つの湾曲可能なコンタクトを湾曲させて、前記湾曲可能なコンタクトのテーパ状の絶縁面に最上部層の絶縁部分及び接着部分を突き刺すと共に前記少なくとも１つの導電回路からはぎ取らせて、前記少なくとも１つの湾曲可能なコンタクトと前記少なくとも１つの導電回路との間で前記電気接続を形成可能にする、少なくとも１つのコンタクト湾曲リッジと、
前記少なくとも１つの湾曲可能なコンタクトと、前記少なくとも１つの湾曲可能なコンタクトと前記少なくとも１つの導電回路との整列を促進させるための複数のテーパレジストレーションピンとを有する支持部と、
前記コンタクト支持部を前記起動部に取り付ける手段であって、前記起動部と前記支持部とを、それらが取り付けられた状態で整列させるための整列スロットを含む手段と、
を備えた、請求項１に記載の電気コネクタ。
【請求項２３】  先の尖った絶縁面に向かってテーパになった、湾曲可能な電気コンタクトであって、該先の尖った絶縁面は、少なくとも１つの導電回路の上部層の誘電体絶縁部分及び接着部分を突き刺すと共にはぎ取り、前記少なくとも１つの導電回路から導電材料の薄層を削り取ることが可能であって、その場合、前記湾曲可能な電気コンタクトは、電気コネクタに収納されると共に前記回路と前記コネクタとの相互作用によって湾曲させられて、前記テーパ状の絶縁面は、前記誘電体を突き刺してはぎ取り、前記湾曲可能なコンタクトとの気密性のある接続のために前記回路の個々のコンダクタを露出させる、湾曲可能な電気コンタクト。
【請求項２４】  前記少なくとも１つのコンタクトが、電気コネクタ本体内での接続中に、前記少なくとも１つのコンタクトと前記少なくとも１つの導電回路との接合部における圧力を強化するために複数のフォースコンセントレータを備えた、請求項２３に記載の湾曲可能なコンタクト。
【請求項２５】  前記少なくとも一つのコンタクト上に複数の圧縮ノッチが形成されて、該少なくとも一つのコンタクトの柔軟性について少なくとも２つの湾曲域が形成されており、第１の湾曲域は、前記少なくとも一つのコンタクトの最小の厚さによって決定され、第２の湾曲域は、前記複数の圧縮ノッチによって規定された、請求項２３に記載の湾曲可能なコンタクト。
【請求項２６】  前記湾曲可能なコンタクトが、湾曲可能な複合コンタクトを形成するよう相互に積層された少なくとも２つのコンタクトを含む、請求項２３に記載の電気コンタクト。
【請求項２７】  少なくとも１つの電気コンタクトを少なくとも１つの導電回路に接続する方法であって、
カバーとベースとの間に回転可能に収納された少なくとも１つの起動カムに組み込まれた、複数のテーパレジストレーションピンと、テーパ整列リブと、コンダクタ整列溝とを備えた電気コネクタの回路整列ウインドウに少なくとも１つの導電回路を挿入するステップと、
前記テーパレジストレーションピンと前記コンダクタ整列溝とを使って、前記少なくとも１つの導電回路を前記少なくとも１つの起動カムの回路レセプタクルスロット内で整列させるステップと、
前記少なくとも１つの起動カムのカム起動ソケットに挿入された起動ツールを使って前記少なくとも１つの起動カムを回転させるステップと、
前記少なくとも１つの導電回路を前記電気コネクタに引き込み、前記少なくとも１つの起動カムで該導電回路を巻くと共に、絶縁部分を形成するテーパ状の先の尖ったコンタクトチップを備えた少なくとも１つの湾曲可能なコンタクトに接触させるステップと、
前記複数のテーパ整列リブを使用して、前記少なくとも１つの起動カムを前記少なくとも１つの湾曲可能なコンタクトに整列させるステップと、
前記湾曲可能なコンタクト夫々の前記絶縁面を使用して、前記少なくとも１つの導電回路の誘電体絶縁部分を突き刺してはぎ取り、前記少なくとも１つの導電回路のコンダクタを露出させるステップと、
前記少なくとも１つの湾曲可能なスプリングコンタクトの前記テーパ状の絶縁面と前記少なくとも１つの導電回路の前記コンダクタとの間の前記電気コネクタにおいて、相互に表面処理が行われた、気密性のある、部分的にシールされた電気接続を形成するステップと、
を備えた、方法。
【請求項２８】  前記誘電体をフローさせ、前記少なくとも１つの湾曲可能なコンタクトと前記少なくとも１つの導電回路の前記コンダクタとの間の接合部がシールされる温度まで前記少なくとも１つの湾曲可能なコンタクトを熱することにより、前記部分シールを永続的なものとする、請求項２７に記載の方法。
【請求項２９】  前記少なくとも１つの起動カムの先端を所定の角度で形成することで、前記少なくとも１つの湾曲可能なコンタクトの前記テーパ状の絶縁面の先端が、前記少なくとも１つの導電回路の前記誘電体絶縁部分を突き刺すと共にはぎ取って、前記少なくとも１つの導電回路からなるコンダクタを露出させると共に該コンダクタと個々に係合して、１つの湾曲可能なコンタクトを前記少なくとも１つの導電回路の個々のコンダクタと係合するようにする、請求項２７に記載の方法。
【請求項３０】  前記少なくとも１つの起動カムの巻き動作を使用して、前記少なくとも１つの導電回路を前記電気コネクタ内に固定して、前記少なくとも１つのスプリングコンタクトの前記テーパ状の絶縁面の前記先端と接触する際に、前記少なくとも１つの導電回路を支持して前記少なくとも１つの導電回路上の前記コンダクタの歪みを除去する、請求項２７に記載の方法。
【請求項３１】  前記起動部と前記コンタクト支持部とを相互に取り付ける手段は、前記支持部に形成された少なくとも１つのモジュールラッチング穴を備え、該穴内に、前記起動部上に形成されたフレキシブルアームがはめ込まれる、請求項２７に記載の電気コネクタ。
【請求項３２】  少なくとも１つの湾曲可能な電気コンタクトを少なくとも１つの導電回路に接続する方法であって、
少なくとも１つの整列ウインドウと、複数のレジストレーションピン挿入穴と、テーパ状の絶縁面を備えた少なくとも１つの湾曲可能なコンタクトとを備えたコンタクト支持部において前記整列ウインドウに少なくとも１つの導電回路を挿入するステップと、
複数のレジストレーションピンと湾曲可能なコンタクトとを備えた起動部を取り付けるステップと、
該起動部を使用して前記コネクタにおいて前記導電回路を整列させるステップと、
前記起動部と前記支持部とを相互に係合させるステップと、
前記少なくとも１つの回路に前記湾曲リッジ上を通過させることで前記少なくとも１つのコンタクトを湾曲させ、前記少なくとも１つの湾曲可能なコンタクト上のテーパ状の絶縁面が最上部層の誘電体及び接着部分を突き刺すと共に前記少なくとも１つの導電回路からはぎ取って、前記少なくとも１つの導電回路の個々のコンダクタを露出させ、前記少なくとも１つの導電回路の導電部分で前記少なくとも１つの湾曲可能なコンタクトに接続して気密性のある電気接続を形成するステップと、
を備えた方法。
【請求項３３】  少なくとも１つの湾曲可能な電気コンタクトを少なくとも１つの導電回路に接続する方法であって、
前記導電回路を前記湾曲可能なコンタクトに整列させるステップと、
前記コンタクトを起動して前記導電回路のコンダクタを係合させ、前記導電回路の個々のコンダクタと前記湾曲可能なコンタクトの個々のコンタクトとの間で確実な電気接続を形成するステップと、
前記コンタクトで前記導電回路の上部層の誘電体絶縁部分及び接着部分を突き刺すと共にはぎ取って、前記コンタクトが先の尖った絶縁面に向かってテーパになっていることにより前記導電回路から導電材料の薄層を削り取るステップと、
前記湾曲可能なコンタクトの導電部分を接続して、前記導電回路の露出したコンダクタと気密性のある部分シールを形成するステップと、
を備えた方法。